(57)【要約】【課題】樹木移植機に設けた摺動壁を円滑に移動できるようにして故障の発生を防止すること。【解決手段】本発明では、重機（２）のアーム（３）に前方及び上方を開放させたバケット（４）を連結し、このバケット（４）で樹木（５）を根部の土砂（６）とともに掘り取って別の場所に移植する樹木移植機（１）において、バケット（４）の内側に掘り取った樹木（５）を土砂（６）とともに押し出すための摺動壁（７）をバケット（４）の底壁（１１）及び左右側壁（１３，１４）に沿って前後に摺動可能に設け、この摺動壁（７）を前後に摺動させる摺動機構（９）を摺動壁（７）に連結するとともに、前方への摺動時に摺動壁（７）の上部を後方に向けて引張する引張機構（１０）を摺動壁（７）に連結することにした。【選択図】図１
2011223947.tif 000002
【特許請求の範囲】
【請求項１】
重機のアームに前方及び上方を開放させたバケットを連結し、このバケットで樹木を根部の土砂とともに掘り取って別の場所に移植する樹木移植機において、
バケットの内側に掘り取った樹木を土砂とともに押し出すための摺動壁をバケットの底壁及び左右側壁に沿って前後に摺動可能に設け、この摺動壁を前後に摺動させる摺動機構を摺動壁に連結するとともに、前方への摺動時に摺動壁の上部を後方に向けて引張する引張機構を摺動壁に連結したことを特徴とする樹木移植機。
【請求項２】
前記引張機構は、摺動壁の後部に連動体の前端部を接続するとともに、摺動壁の上部と連動体の後端部との間に引張帯を張設したことを特徴とする請求項１に記載の樹木移植機。
【請求項３】
前記摺動機構及び引張機構を摺動壁の左右に配置して左右一対の摺動機構及び引張機構で重機のアームとバケットとの連結部分を囲繞したことを特徴とする請求項１又は請求項２に記載の樹木移植機。
【発明の詳細な説明】
【技術分野】
【０００１】
本発明は、重機のアームに前方及び上方を開放させたバケットを連結し、このバケットで樹木を根部の土砂とともに掘り取って別の場所に移植する樹木移植機に関するものである。
【背景技術】
【０００２】
従来より、樹木移植機は、山中の樹木を市街地の公園に移植する場合のように樹木を根部から掘り取って別の場所に移植するために利用されている。
【０００３】
この樹木移植機は、重機のアームの先端に前方及び上方を開放させた箱型のバケットを取付け、バケットの内側に掘り取った樹木を土砂とともに押し出すための摺動壁をバケットの底壁及び左右側壁に沿って前後に摺動可能に設け、この摺動壁を前後に摺動させる油圧シリンダーを摺動壁に連結した構造となっていた（たとえば、特許文献１参照。）。
【０００４】
そして、樹木を移植する場合には、樹木移植機のバケットで樹木を根部に付着した土砂ごと地中から掘り取り、掘り取った樹木をバケットから搬送トラックの荷台に載せ換えて搬送トラックで別の場所まで搬送し、その後、再度搬送トラックの荷台から樹木移植機のバケットに載せ換え、移植場所に樹木移植機のバケットで樹木を根部の土砂ごと載置して、樹木を移植するようにしていた。
【０００５】
この移植場所での移植作業では、摺動壁を前方に押し出すことで掘り取った樹木を土砂とともに移植場所に移動させるようにしていた。
【先行技術文献】
【特許文献】
【０００６】
【特許文献１】特開２００２−１７１８３号公報
【発明の概要】
【発明が解決しようとする課題】
【０００７】
ところが、上記従来の樹木移植機では、摺動壁で樹木とともに土砂を押し出す際に、摺動壁の下部の圧力が上部の圧力よりも大きくなるために、前進する摺動壁の上部を前方に向けて転倒させる外力（回転モーメント）が作用し、摺動壁が円滑に移動しなくなったり、油圧シリンダーのロッド先端部と摺動壁との連結部分が破損してしまうといった故障が発生するおそれがあった。
【課題を解決するための手段】
【０００８】
そこで、請求項１に係る本発明では、重機のアームに前方及び上方を開放させたバケットを連結し、このバケットで樹木を根部の土砂とともに掘り取って別の場所に移植する樹木移植機において、バケットの内側に掘り取った樹木を土砂とともに押し出すための摺動壁をバケットの底壁及び左右側壁に沿って前後に摺動可能に設け、この摺動壁を前後に摺動させる摺動機構を摺動壁に連結するとともに、前方への摺動時に摺動壁の上部を後方に向けて引張する引張機構を摺動壁に連結することにした。
【０００９】
また、請求項２に係る本発明では、前記請求項１に係る本発明において、前記引張機構は、摺動壁の後部に連動体の前端部を接続するとともに、摺動壁の上部と連動体の後端部との間に引張帯を張設することにした。
【００１０】
また、請求項３に係る本発明では、前記請求項１又は請求項２に係る本発明において、前記摺動機構及び引張機構を摺動壁の左右に配置して左右一対の摺動機構及び引張機構で重機のアームとバケットとの連結部分を囲繞することにした。
【発明の効果】
【００１１】
そして、本発明では、以下に記載する効果を奏する。
【００１２】
すなわち、本発明では、重機のアームに前方及び上方を開放させたバケットを連結し、このバケットで樹木を根部の土砂とともに掘り取って別の場所に移植する樹木移植機において、バケットの内側に掘り取った樹木を土砂とともに押し出すための摺動壁をバケットの底壁及び左右側壁に沿って前後に摺動可能に設け、この摺動壁を前後に摺動させる摺動機構を摺動壁に連結するとともに、前方への摺動時に摺動壁の上部を後方に向けて引張する引張機構を摺動壁に連結することにしているために、摺動壁で土砂を押し出す際に摺動壁に作用する外力の影響を低減することができ、摺動壁の故障を防止するとともに、摺動壁を円滑に移動させることができる。
【００１３】
特に、引張機構として、摺動壁の後部に連動体の前端部を接続するとともに、摺動壁の上部と連動体の後端部との間に引張帯を張設することにした場合には、引張機構の構造を簡単なものとしてコストの増大や組立作業・メンテナンス作業の煩雑化を防止することができる。
【００１４】
また、摺動機構及び引張機構を摺動壁の左右に配置して左右一対の摺動機構及び引張機構で重機のアームとバケットとの連結部分を囲繞することにした場合には、移植作業時にアームとバケットとの連結部分が樹木等に衝突してバケットが脱落してしまうのを防止することができる。
【図面の簡単な説明】
【００１５】
【図１】本発明に係る樹木移植機を示す説明図。
【図２】樹木移植機のバケットを示す斜視図。
【図３】同正面図（ａ）及び背面図（ｂ）。
【図４】同平面図。
【図５】同側面図。
【図６】同側面断面図。
【発明を実施するための形態】
【００１６】
以下に、本発明に係る樹木移植機の具体的な構成について図面を参照しながら説明する。
【００１７】
図１に示すように、樹木移植機１は、重機２のアーム３の先端部に前方及び上方を開放させたバケット４を連結しており、重機２のアーム３を操作することによってバケット４を変位させ、バケット４で樹木５を根部の土砂６とともに移植元の地面から掘り取り、その後、樹木５を根部の土砂６とともに移植先の地面に押し出して移植するようになっている。
【００１８】
バケット４は、図２〜図６に示すように、掘り取った樹木５を土砂６とともに押し出す摺動壁７を有するバケット本体８と、摺動壁７を前後に摺動させる左右一対の摺動機構9,9と、摺動壁７の前方への摺動時に摺動壁７の上部を後方に向けて引張する左右一対の引張機構10,10とで構成している。
【００１９】
バケット本体８は、矩形板状の底壁11の後端縁上部に矩形板状の後壁12を取付けるとともに、底壁11の左右端縁上部に台形板状の左右側壁13,14を取付けて、前方及び上方を開放した箱型形状に形成している。
【００２０】
また、バケット本体８は、左右側壁13,14の間に矩形板状の摺動壁７を底壁11の前端部と後壁12との間において底壁11及び左右側壁13,14に沿って前後に摺動可能に形成している。
【００２１】
さらに、バケット本体８は、後壁12の後側中央部に重機２のアーム３の先端部を連結するためのブラケット15を形成している。
【００２２】
摺動機構９は、バケット本体８の後壁12の後側左右側部間に平面視コ字形状のケーシング16をブラケット15を囲繞するように取付けている。このケーシング16は、後壁12に前後に伸延させた左側ケーシング17と右側ケーシング18の前端部を取付けるとともに、左右側ケーシング17,18の後端部間に左右に伸延させた後側ケーシング19を介設して、全体で平面視コ字形状となっており、左右側ケーシング17,18と後側ケーシング19とでバケット４と重機２のアーム３との連結部分（ブラケット15とこのブラケット15に接続されるアーム３の先端部）を囲繞するようにしている。
【００２３】
また、摺動機構９は、左右側ケーシング17,18の内部に油圧シリンダー20,21を収容するとともに、各油圧シリンダー20,21のロッド22,23を後壁12の左右側部に形成した貫通孔24,25に挿通させ、各油圧シリンダー20,21のロッド22,23の先端部を摺動壁７の後側左右に接続している。
【００２４】
これにより、摺動機構９は、左右の油圧シリンダー20,21を駆動させてロッド22,23を進退させることで、摺動壁７を前後に摺動させるようにしている。
【００２５】
引張機構10は、摺動機構９の左右側ケーシング17,18の上部に前後に伸延させた左右側ガイドケーシング26,27を取付け、左右側ガイドケーシング26,27の内部に前後に伸延させた連動体28,29を前後に摺動自在に収容している。
【００２６】
また、引張機構10は、連動体28,29の前端部を後壁12の左右側部に形成した貫通孔24,25に挿通させ、左右の連動体28,29の前端部を摺動壁７の後側左右側部に取付けて摺動壁７と連動体28,29とが連動して一体的に前後に移動可能とするとともに、摺動壁７の上端左右側部にブラケット30,31を取付け、ブラケット30,31にチェーンやゴムベルトなどからなる可撓性を有する引張帯32,33の前端部を取付け、一方、連動体28,29の後端上部にブラケット34,35を取付け、ブラケット34,35に引張帯32,33の後端部を取付けている。
【００２７】
さらに、引張機構10は、バケット本体８の後壁12の上端左右側部と左右側ガイドケーシング26,27の前側上部にテンションローラー36〜39を取付け、引張帯32,33を屈曲させて上方のテンションローラー36,37の上部及び後部と下方のテンションローラー38,39の前部及び下部に巻回することで引張帯32,33を後壁12の上部と連動体28,29の後端部との間に適度の張力を持たせて張設している。
【００２８】
これにより、引張機構10は、摺動壁７を摺動機構９で進退移動させた場合に、摺動壁７と連動体28,29とが一体的に前後に移動し、それに伴って、引張帯32,33も摺動壁７及び連動体28,29の移動に追従して前後に移動するようにしている。
【００２９】
そして、樹木５の根部とともに掘り取った土砂６を摺動壁７で前方に押し出す際には、摺動壁７の上部側に作用する圧力よりも摺動壁７の下部側に作用する圧力の方が大きいために、摺動壁７に対して摺動壁７が前方に向けて転倒する方向に外力（回転モーメント）が作用することになり、摺動壁７の後側左右側部における油圧シリンダー20,21のロッド22,23の接続部よりも下方側では後方へ向けた力が作用するとともに接続部よりも上方側では前方へ向けた力が作用する。
【００３０】
その際に、引張機構10は、接続部よりも上方の摺動壁７の上部において引張帯32,33で摺動壁７を後方に向けて引張して、摺動壁７（特に接続部）に作用する外力を低減させるようにしている。
【００３１】
以上に説明したように、上記樹木移植機１は、バケット４の内側に掘り取った樹木５を土砂６とともに押し出すための摺動壁７をバケット４の底壁11及び左右側壁13,14に沿って前後に摺動可能に設け、この摺動壁７を前後に摺動させる摺動機構９を摺動壁７に連結するとともに、前方への摺動時に摺動壁７の上部を後方に向けて引張する引張機構10を摺動壁７に連結した構成となっている。
【００３２】
そのために、上記構成の樹木移植機１では、摺動壁７で土砂６を押し出す際に摺動壁７に作用する外力の影響を低減することができ、摺動壁７の故障を防止するとともに、摺動壁７を円滑に移動させることができる。
【００３３】
また、上記樹木移植機１は、引張機構10として、摺動壁７の後部に連動体28,29の前端部を接続するとともに、摺動壁７の上部と連動体28,29の後端部との間に引張帯32,33を張設した構成となっている。
【００３４】
そのために、上記構成の樹木移植機１では、引張機構10の構造を簡単なものとしてコストの増大や組立作業・メンテナンス作業の煩雑化を防止することができる。
【００３５】
さらに、上記樹木移植機１は、摺動機構９及び引張機構10を摺動壁７の左右に配置して左右一対の摺動機構9,9及び引張機構10,10で重機２のアーム３とバケット４との連結部分を囲繞した構成となっている。
【００３６】
そのために、上記樹木移植機１では、移植作業時にアーム３とバケット４との連結部分が樹木５等に衝突してバケット４が脱落してしまうのを防止することができる。
【符号の説明】
【００３７】
１  樹木移植機                        ２  重機
３  アーム                            ４  バケット
５  樹木                              ６  土砂
７  摺動壁                            ８  バケット本体
９  摺動機構                          10  引張機構
11  底壁                              12  後壁
13,14  左右側壁                       15  ブラケット
16  ケーシング                        17,18  左右側ケーシング
19  後側ケーシング                    20,21  油圧シリンダー
22,23  ロッド                         24,25  貫通孔
26,27  左右側ガイドケーシング         28,29  連動体
30,31  ブラケット                     32,33  引張帯
34,35  ブラケット                     36〜39  テンションローラー
【図１】
2011223947.tif 000003
【図２】
2011223947.tif 000004
【図３】
2011223947.tif 000005
【図４】
2011223947.tif 000006
【図５】
2011223947.tif 000007
【図６】
2011223947.tif 000008